(57)【要約】【課題】１枚のシール紙としての見た目をきれいにする。【解決手段】印刷制御部は、ロール紙に、複数の撮影画像が配置されてなるレイアウト画像を印刷し、カット制御部は、レイアウト画像が印刷されたロール紙を所定のカット位置でカットし、シール紙として出力する。特に、カット制御部は、ロール紙を、印刷制御部により印刷されたレイアウト画像のロール紙の送り方向の終端と、レイアウト画像に配置されている複数の撮影画像の送り方向の終端との間の第１のカット位置でカットし、さらに、レイアウト画像の送り方向の終端より送り方向後方の第２のカット位置でカットする。本発明は、例えば、写真シール作成装置に適用することができる。【選択図】図１４
2015055802.tif 000002
【特許請求の範囲】
【請求項１】
利用者を被写体として撮影し、得られた撮影画像に対して前記利用者に編集入力を行わせ、前記編集入力により編集された前記撮影画像を印刷したシール紙を出力する写真シール作成装置であって、
ロール紙に、複数の前記撮影画像が配置されてなるレイアウト画像を印刷する印刷手段と、
前記レイアウト画像が印刷された前記ロール紙を所定のカット位置でカットし、前記シール紙として出力するカット手段と
を備え、
前記カット手段は、前記ロール紙を、前記印刷手段により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットする
写真シール作成装置。
【請求項２】
前記印刷手段は、前記ロール紙に、前記送り方向に連続して複数の前記レイアウト画像を印刷し、
前記カット手段は、前記ロール紙を、先に出力される第１のレイアウト画像の前記送り方向の終端と、前記第１のレイアウト画像に配置されている複数の前記撮影画像の前記送り方向の終端との間の前記第１のカット位置でカットし、さらに、後に出力される第２のレイアウト画像の前記送り方向の始端と、前記第２のレイアウト画像に配置されている複数の前記撮影画像の前記送り方向の始端との間の前記第２のカット位置でカットする
請求項１に記載の写真シール作成装置。
【請求項３】
前記印刷手段は、前記ロール紙に、複数の前記レイアウト画像を隙間なく印刷し、
前記カット手段は、前記第１のレイアウト画像の前記送り方向の終端と、前記第１のレイアウト画像に配置されている複数の前記撮影画像の前記送り方向の終端との間の領域の色と、前記第２のレイアウト画像の前記送り方向の始端と、前記第２のレイアウト画像に配置されている複数の前記撮影画像の前記送り方向の始端との間の領域の色とが異なる場合に、前記ロール紙を、前記第１のカット位置でカットし、さらに、前記第２のカット位置でカットする
請求項２に記載の写真シール作成装置。
【請求項４】
前記カット手段は、前記第１のレイアウト画像の前記送り方向の終端と、前記第１のレイアウト画像に配置されている複数の前記撮影画像の前記送り方向の終端との間の領域の色と、前記第２のレイアウト画像の前記送り方向の始端と、前記第２のレイアウト画像に配置されている複数の前記撮影画像の前記送り方向の始端との間の領域の色とが同じ場合、前記ロール紙を、前記第１のレイアウト画像の前記送り方向の終端と、前記第２のレイアウト画像の前記送り方向の始端との間の１つのカット位置でカットする
請求項３に記載の写真シール作成装置。
【請求項５】
前記印刷手段は、前記ロール紙に印刷される複数の前記レイアウト画像の中に、複数の前記撮影画像が配置されている画像配置領域以外の領域の色が同じである前記レイアウト画像が存在する場合、前記画像配置領域以外の領域の色が同じである前記レイアウト画像が連続して印刷されるように、印刷の順番を変更する
請求項４に記載の写真シール作成装置。
【請求項６】
前記カット手段は、前記ロール紙を、前記第１のカット位置と前記第２のカット位置とで同時にカットする
請求項１乃至３のいずれかに記載の写真シール作成装置。
【請求項７】
前記ロール紙における前記カット位置を設定する設定手段をさらに備え、
前記カット手段は、前記ロール紙を、前記設定手段により設定された前記カット位置でカットする
請求項１乃至６のいずれかに記載の写真シール作成装置。
【請求項８】
前記設定手段は、前記ロール紙が送られた長さに基づいて、前記カット位置を設定する
請求項７に記載の写真シール作成装置。
【請求項９】
前記設定手段は、前記ロール紙に印刷された前記レイアウト画像の色を認識することによって、前記カット位置を設定する
請求項７に記載の写真シール作成装置。
【請求項１０】
前記カット手段によりカットされた前記シール紙を、装置外部へ排出するためのシール紙排出口と、
前記シール紙排出口とは別に、前記カット手段によりカットされた、前記第１のカット位置と前記第２のカット位置との間の前記ロール紙を廃棄部分として蓄積する蓄積部をさらに備える
請求項1乃至９のいずれかに記載の写真シール作成装置。
【請求項１１】
前記蓄積部に蓄積された前記廃棄部分の量が所定量を超えた場合に、その旨を報知する報知手段をさらに備える
請求項１０に記載の写真シール作成装置。
【請求項１２】
前記カット手段によりカットされた前記シール紙を、前記シール紙排出口へ導くための誘導部をさらに備え、
前記誘導部には、前記シール紙の大きさより十分小さく、かつ、前記廃棄部分が落下可能な大きさのスリットが設けられ、
前記蓄積部は、前記誘導部の前記スリットから落下した前記廃棄部分を蓄積する
請求項１０または１１に記載の写真シール作成装置。
【請求項１３】
前記印刷手段は、前記ロール紙に、前記送り方向に直交する方向に並列して、複数の前記レイアウト画像を印刷し、
前記カット手段は、前記ロール紙を、前記第１のカット位置でカットし、さらに、前記第２のカット位置でカットし、さらにまた、複数の前記レイアウト画像同士の境界に沿った第３のカット位置でカットする
請求項１に記載の写真シール作成装置。
【請求項１４】
利用者を被写体として撮影し、得られた撮影画像に対して前記利用者に編集入力を行わせ、前記編集入力により編集された前記撮影画像を印刷したシール紙を出力する写真シール作成装置の印刷方法であって、
ロール紙に、複数の前記撮影画像が配置されてなるレイアウト画像を印刷する印刷ステップと、
前記レイアウト画像が印刷された前記ロール紙を所定のカット位置でカットし、前記シール紙として出力するカットステップと
を含み、
前記カットステップは、前記ロール紙を、前記印刷ステップの処理により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットする
写真シール作成装置の印刷方法。
【請求項１５】
利用者を被写体として撮影し、得られた撮影画像に対して前記利用者に編集入力を行わせ、前記編集入力により編集された前記撮影画像を印刷したシール紙を出力する写真シール作成装置を制御するコンピュータに、
ロール紙に、複数の前記撮影画像が配置されてなるレイアウト画像を印刷するよう制御する印刷制御ステップと、
前記レイアウト画像が印刷された前記ロール紙を所定のカット位置でカットし、前記シール紙として出力するよう制御するカット制御ステップと
を含む処理を実行させ、
前記カット制御ステップは、前記ロール紙を、前記印刷制御ステップの処理により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットするよう制御する
プログラム。
【発明の詳細な説明】
【技術分野】
【０００１】
本発明は、写真シール作成装置およびその印刷方法、並びにプログラムに関し、特に、１枚のシール紙としての見た目をきれいにすることができるようにする写真シール作成装置およびその印刷方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って撮影画像を編集し、編集後の画像である編集済み画像をシール紙に印刷して排出するという流れになる。
【０００４】
このような写真シール機の中には、利用者に投入された硬貨の金額に基づいて、シール紙に印刷される画像の大きさ、画像の枚数、およびシール紙のサイズのうちのいずれか１つ、または任意の組み合わせを表示し、利用者に選択させるようにした写真シール機がある（特許文献１参照）。
【０００５】
また、撮影前に、出力されるシール紙の出力面積を利用者に入力させ、入力された出力面積に応じた対価の受領を検知することで、撮影を開始するようにした写真シール機が開示されている（特許文献２参照）。
【０００６】
このような写真シール機によれば、利用者が所望する大きさのシール紙を提供することができる。
【先行技術文献】
【特許文献】
【０００７】
【特許文献１】特開２００３−７２１６５号公報
【特許文献２】特開２００２−１８９２４２号公報
【発明の概要】
【発明が解決しようとする課題】
【０００８】
上述した写真シール機が、画像が印刷されたロール紙をカットして、シール紙として出力するプリンタを搭載している場合、出力されるシール紙が利用者に選択された大きさとなるようなカット位置でロール紙をカットする必要があるが、このようなプリンタにおいては、カット位置にばらつきが生じるおそれがある。
【０００９】
カット位置にばらつきが生じた場合、先に出力されたシール紙のふちの色が、後に出力されるシール紙に残ってしまい、１枚のシール紙として見た場合に不自然な仕上がりになってしまい、利用者の満足度を低下させるおそれがあった。
【００１０】
また、カット位置にばらつきが生じた場合でも、シール紙のふちの色が混在しないように、カット位置として十分な余白領域（印刷されない領域）を設けるようにした場合には、１枚のシール紙において印刷される領域が小さくなってしまい、結果として、利用者の満足度を低下させるおそれがあった。
【００１１】
本発明は、このような状況に鑑みてなされたものであり、１枚のシール紙としての見た目をきれいにするようにするものである。
【課題を解決するための手段】
【００１２】
本発明の一側面の写真シール作成装置は、利用者を被写体として撮影し、得られた撮影画像に対して前記利用者に編集入力を行わせ、前記編集入力により編集された前記撮影画像を印刷したシール紙を出力する写真シール作成装置であって、ロール紙に、複数の前記撮影画像が配置されてなる レイアウト画像を印刷する印刷手段と、前記レイアウト画像が印刷された前記ロール紙を所定のカット位置でカットし、前記シール紙として出力するカット手段とを備え、前記カット手段は、前記ロール紙を、前記印刷手段により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットする。
【００１３】
前記印刷手段には、前記ロール紙に、前記送り方向に連続して複数の前記レイアウト画像を印刷させ、前記カット手段には、前記ロール紙を、先に出力される第１のレイアウト画像の前記送り方向の終端と、前記第１のレイアウト画像に配置されている複数の前記撮影画像の前記送り方向の終端との間の前記第１のカット位置でカットさせ、さらに、後に出力される第２のレイアウト画像の前記送り方向の始端と、前記第２のレイアウト画像に配置されている複数の前記撮影画像の前記送り方向の始端との間の前記第２のカット位置でカットさせることができる。
【００１４】
前記印刷手段には、前記ロール紙に、複数の前記レイアウト画像を隙間なく印刷させ、前記カット手段には、前記第１のレイアウト画像の前記送り方向の終端と、前記第１のレイアウト画像に配置されている複数の前記撮影画像の前記送り方向の終端との間の領域の色と、前記第２のレイアウト画像の前記送り方向の始端と、前記第２のレイアウト画像に配置されている複数の前記撮影画像の前記送り方向の始端との間の領域の色とが異なる場合に、前記ロール紙を、前記第１のカット位置でカットさせ、さらに、前記第２のカット位置でカットさせることができる。
【００１５】
前記カット手段には、前記第１のレイアウト画像の前記送り方向の終端と、前記第１のレイアウト画像に配置されている複数の前記撮影画像の前記送り方向の終端との間の領域の色と、前記第２のレイアウト画像の前記送り方向の始端と、前記第２のレイアウト画像に配置されている複数の前記撮影画像の前記送り方向の始端との間の領域の色とが同じ場合、前記ロール紙を、前記第１のレイアウト画像の前記送り方向の終端と、前記第２のレイアウト画像の前記送り方向の始端との間の１つのカット位置でカットさせることができる。
【００１６】
前記印刷手段には、前記ロール紙に印刷される複数の前記レイアウト画像の中に、複数の前記撮影画像が配置されている画像配置領域以外の領域の色が同じである前記レイアウト画像が存在する場合、前記画像配置領域以外の領域の色が同じである前記レイアウト画像が連続して印刷されるように、印刷の順番を変更させることができる。
【００１７】
前記カット手段には、前記ロール紙を、前記第１のカット位置と前記第２のカット位置とで同時にカットさせることができる。
【００１８】
前記ロール紙における前記カット位置を設定する設定手段をさらに設け、前記カット手段には、前記ロール紙を、前記設定手段により設定された前記カット位置でカットさせることができる。
【００１９】
前記カット手段によりカットされた前記シール紙を、装置外部へ排出するためのシール紙排出口と、前記シール紙排出口とは別に、前記カット手段によりカットされた、前記第１のカット位置と前記第２のカット位置との間の前記ロール紙を廃棄部分として蓄積する蓄積部をさらに設けることができる。
【００２０】
前記蓄積部に蓄積された前記廃棄部分の量が所定量を超えた場合に、その旨を報知する報知手段をさらに設けることができる。
【００２１】
前記カット手段によりカットされた前記シール紙を、前記シール紙排出口へ導くための誘導部をさらに設け、前記誘導部には、前記シール紙の大きさより十分小さく、かつ、前記廃棄部分が落下可能な大きさのスリットが設けられ、前記蓄積部には、前記誘導部の前記スリットから落下した前記廃棄部分を蓄積させることができる。
【００２２】
前記印刷手段には、前記ロール紙に、前記送り方向に直交する方向に並列して、複数の前記レイアウト画像を印刷させ、前記カット手段には、前記ロール紙を、前記第１のカット位置でカットさせ、さらに、前記第２のカット位置でカットさせ、さらにまた、複数の前記レイアウト画像同士の境界に沿った第３のカット位置でカットさせることができる。
【００２３】
本発明の一側面の写真シール作成装置の印刷方法は、利用者を被写体として撮影し、得られた撮影画像に対して前記利用者に編集入力を行わせ、前記編集入力により編集された前記撮影画像を印刷したシール紙を出力する写真シール作成装置の印刷方法であって、ロール紙に、複数の前記撮影画像が配置されてなるレイアウト画像を印刷する印刷ステップと、前記レイアウト画像が印刷された前記ロール紙を所定のカット位置でカットし、前記シール紙として出力するカットステップとを含み、前記カットステップは、前記ロール紙を、前記印刷ステップの処理により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットする。
【００２４】
本発明の一側面のプログラムは、利用者を被写体として撮影し、得られた撮影画像に対して前記利用者に編集入力を行わせ、前記編集入力により編集された前記撮影画像を印刷したシール紙を出力する写真シール作成装置を制御するコンピュータに、ロール紙に、複数の前記撮影画像が配置されてなるレイアウト画像を印刷するよう制御する印刷制御ステップと、前記レイアウト画像が印刷された前記ロール紙を所定のカット位置でカットし、前記シール紙として出力するよう制御するカット制御ステップとを含む処理を実行させ、前記カット制御ステップは、前記ロール紙を、前記印刷制御ステップの処理により印刷された前記レイアウト画像の前記ロール紙の送り方向の終端と、前記レイアウト画像に配置されている複数の前記撮影画像の前記送り方向の終端との間の第１のカット位置でカットし、さらに、前記レイアウト画像の前記送り方向の終端より前記送り方向後方の第２のカット位置でカットするよう制御する。
【００２５】
本発明の一側面においては、ロール紙が、印刷されたレイアウト画像のロール紙の送り方向の終端と、レイアウト画像に配置されている複数の撮影画像の送り方向の終端との間の第１のカット位置でカットされ、さらに、レイアウト画像の送り方向の終端より送り方向後方の第２のカット位置でカットされる。
【発明の効果】
【００２６】
本発明によれば、１枚のシール紙としての見た目をきれいにすることが可能となる。
【図面の簡単な説明】
【００２７】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集ユニットの構成例を示す図である。
【図７】編集ユニットの右側面の構成例を示す図である。
【図８】編集ユニットの右側面の構成例を示す図である。
【図９】写真シール作成装置の内部の構成例を示すブロック図である。
【図１０】制御部の機能構成例を示すブロック図である。
【図１１】印刷処理部の機能構成例を示すブロック図である。
【図１２】写真シール作成ゲーム処理の流れの例を説明するフローチャートである。
【図１３】印刷処理について説明するフローチャートである。
【図１４】ロール紙のカット位置について説明する図である。
【図１５】ロール紙のカット位置について説明する図である。
【図１６】ロール紙のカット位置について説明する図である。
【図１７】ロール紙のカット位置について説明する図である。
【図１８】ロール紙のカット位置について説明する図である。
【図１９】シール紙排出口の裏側の構成例を示す斜視図である。
【図２０】シール紙排出口の裏側の構成例を示す側面図である。
【図２１】印刷処理部の他の機能構成例を示すブロック図である。
【図２２】報知処理について説明するフローチャートである。
【図２３】シール紙排出口の裏側の他の構成例を示す側面図である。
【図２４】シール紙排出口の裏側の他の構成例を示す側面図である。
【図２５】シール紙排出口の裏側の他の構成例を示す側面図である。
【図２６】ロール紙のカット位置について説明する図である。
【発明を実施するための形態】
【００２８】
以下、本発明を適用した具体的な実施の形態について、図面を参照しながら詳細に説明する。
【００２９】
［写真シール作成装置の外観構成］
図１は、写真シール作成装置１の外観の構成例を示す斜視図である。
【００３０】
写真シール作成装置１は撮影画像や編集済み画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人以上等の複数人である。
【００３１】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済みの画像である編集済み画像が印刷されたシール紙を受け取って一連のゲームを終了させる。
【００３２】
図１に示すように、写真シール作成装置１は、基本的に、撮影ユニット１１と編集ユニット１２が接した状態で設置されることによって構成される。
【００３３】
撮影ユニット１１は、撮影部２１と背景部２２から構成される。撮影部２１と背景部２２は所定の距離だけ離れて設置され、撮影部２１と背景部２２の間に形成される空間が、撮影処理を行う撮影空間となる。
【００３４】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００３５】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３６】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において、連結部２３Ｂ’（図８）によって連結される。
【００３７】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３８】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテン（以下、クロマキー用カーテンという）を下ろす。背景カーテンユニット２５による背景カーテンの上げ下ろしは、例えば撮影コースに応じて行われる。
【００３９】
なお、クロマキー用カーテンを予め撮影空間の背面となる背面パネル５１に張り付けるようにしてもよい。クロマキー用カーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００４０】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００４１】
編集ユニット１２は、撮影画像の編集処理を行う装置である。編集ユニット１２は、一方の側面が撮影部２１の背面に接するように撮影ユニット１１に連結して設けられる。
【００４２】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００４３】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４４】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４５】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４６】
図２は、写真シール作成装置１の他の斜視図である。
【００４７】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集済み画像をサーバに送信する機能、ミニゲームの機能などが含まれる。編集ユニット１２の右側面前方の空間が、利用者が事後接客機能を利用する事後接客空間となる。
【００４８】
ここで、写真シール作成ゲームの流れと、それに伴う利用者の移動について説明する。図３は、写真シール作成装置１を上から見た平面図である。
【００４９】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００５０】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５１】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００５２】
編集が終了した後、撮影画像や編集済み画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００５３】
画像の印刷が終了したとき、利用者は、編集ユニット１２の右側面に設けられた排出口からシール紙を受け取り、一連の写真シール作成ゲームを終えることになる。
【００５４】
次に、各装置の構成について説明する。
【００５５】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５６】
正面パネル４２の中央には、上底：下底の比を略１：５とし、下底の長さが正面パネル４２の横幅と同じ長さの等脚台形を上下逆様にした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００５７】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００５８】
カメラ１０１の上に設けられた正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００５９】
なお、正面ストロボ１０２の発光面として設けられる乳白アクリル板としては、透明度の高いものが用いられる。これにより、正面ストロボ１０２の発光による光の拡散度合いを、乳白アクリル板として透明度の低いものを用いた場合と比べて抑えることができ、利用者に対してより多くの光を照射することができる。
【００６０】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー画像）や撮影画像が表示される。
【００６１】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００６２】
ベース部４３の中央には利用者の下半身および足元を照射する足元ストロボ１１２が設けられ、足元ストロボ１１２の垂直面の右側には、利用者が硬貨を入れる硬貨投入返却口１１４が設けられる。
【００６３】
ベース部４３の上面には、足元ストロボ１１２の上面を挟んでスペース１１３Ａ，１１３Ｂが左右に形成される。スペース１１３Ａ，１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００６４】
［背景部の構成］
図５は、背景部２２の撮影空間Ａ１側の構成例を示す図である。
【００６５】
上述したように、背面パネル５１の上方には背景カーテンユニット２５が設けられる。
【００６６】
背面パネル５１の、出入り口Ｇ１側（図中、左側）の上方には、撮影空間Ａ１内で撮影処理を行っている利用者を右後方から照射する背面右ストロボ１２１が取り付けられる。また、背面パネル５１の、出入り口Ｇ２側（図中、右側）の上方には、撮影空間Ａ１内で撮影処理を行っている利用者を左後方から照射する背面左ストロボ１２２が取り付けられる。
【００６７】
さらに、背面パネル５１の撮影空間Ａ１側（図中、手前側）の面には、背面カーテン１２３が張り付けられる。背面カーテン１２３の色は、ファッション雑誌等のモデルの撮影が行われるスタジオ等と同様に、白色系の色とされる。これにより、撮影によって得られる撮影画像において、被写体の背景に影がつきやすくなり、立体感が強調されるようになる。ここで、白色系の色には、白色はもちろん、白色に近い色（具体的には、白色に近いグレーや、白色に近い青みがかったグレーなどといった色）も含まれるものとする。
【００６８】
本発明の写真シール作成装置１による写真シール作成ゲームにおいては、クロマキー処理を施すための撮影（クロマキー撮影）と、クロマキー処理を施さない撮影とが行われるので、背面カーテン１２３の色とクロマキー用カーテンの色とを異なる色にすることで、それぞれの目的にあった撮影を行うことができる。
【００６９】
［編集ユニットの構成］
図６は、編集ユニット１２の正面側（編集空間Ａ２−１側）の構成例を示す図である。
【００７０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７１】
タブレット内蔵モニタ１３１は、タッチペン１３２Ａまたはタッチペン１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７２】
図７、図８は、編集ユニット１２の右側面の構成例を示す図である。
【００７３】
編集ユニット１２の右側面にはタブレット内蔵モニタ１６１が設けられる。タブレット内蔵モニタ１６１には、事後接客機能を利用するときに用いられる画面が表示される。
【００７４】
タブレット内蔵モニタ１６１の下にはシール紙排出口１６２が設けられる。シール紙排出口１６２の裏側にあたる編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００７５】
［写真シール作成装置の内部構成］
図９は、写真シール作成装置１の内部の構成例を示すブロック図である。上述した構成と同じ構成には同じ符号を付してある。重複する説明については適宜省略する。
【００７６】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００７７】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７８】
通信部２０３は、インターネットなどのネットワークのインタフェースであり、制御部２０１による制御に従って外部の装置と通信を行う。通信部２０３は、例えば撮影画像や編集済み画像をサーバに送信する。通信部２０３から送信された画像は、サーバにおいて所定のURLの記憶領域が割り当てられて保存され、アクセスしてきた携帯端末のディスプレイに表示される。
【００７９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８０】
ROM２０６には、制御部２０１において実行されるプログラムやデータが記憶されている。RAM２０７は、制御部２０１が処理するデータやプログラムを一時的に記憶する。
【００８１】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００８２】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００８３】
背景制御部２２２は、制御部２０１から供給される背景制御信号に従って背景カーテンユニット２５による背景カーテン（クロマキー用カーテン）の上げ下ろしを制御する。
【００８４】
照明装置２２３は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００８５】
カメラ１０１は、制御部２０１による制御に従って撮影を行い、撮影によって得られた画像を制御部２０１に出力する。
【００８６】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００８７】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８８】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００８９】
プリンタ２４１は、制御部２０１から供給された印刷データに基づいて、内蔵するヘッド２５１によって、撮影画像や編集済み画像をシール紙ユニット２４２に収納されているロール紙に印刷する。また、プリンタ２４１は、画像を印刷したロール紙を出力口に向けて送り、内蔵するカッター２５２によって所定のカット位置でカットして、シール紙排出口１６２に排出する。
【００９０】
［制御部の構成］
図１０は、制御部２０１の機能構成例を示すブロック図である。図１０に示す機能部のうちの少なくとも一部は、制御部２０１内のCPUにより所定のプログラムが実行されることによって実現される。
【００９１】
制御部２０１においては、撮影処理部３０１、編集処理部３０２、印刷処理部３０３、および事後接客処理部３０４が実現される。
【００９２】
撮影処理部３０１は、撮影部２０８の各部を制御し、写真シール作成装置１を利用する際に投入される代金に関する処理を含む事前接客処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【００９３】
［印刷処理部の構成例］
図１１は、印刷処理部３０３の機能構成例を示すブロック図である。
【００９４】
印刷処理部３０３は、印刷制御部３１１、カット位置設定部３１２、およびカット制御部３１３から構成される。
【００９５】
印刷制御部３１１は、印刷データを生成し、プリンタ２４１に内蔵されているヘッド２５１を制御することで、その印刷データに対応する画像を、シール紙ユニット２４２に収納されているロール紙に印刷させる。また、印刷制御部３１１は、プリンタ２４１を制御することで、画像が印刷されたロール紙を、プリンタ２４１の出力口に向けて送り出させる。
【００９６】
カット位置設定部３１２は、プリンタ２４１の出力口に向けて送り出されているロール紙の送り量（送られた長さ）を監視することによって、ロール紙をカットすべき位置であるカット位置を設定する。
【００９７】
カット制御部３１３は、プリンタ２４１の出力口に向けて送り出されているロール紙において、カット位置設定部３１２によって設定されたカット位置が、プリンタ２４１に内蔵されているカッター２５２の刃の位置に来たときに、ロール紙をカットするよう制御する。カットされたロール紙は、シール紙としてプリンタ２４１の出力口から出力され、シール紙排出口１６２に排出される。
【００９８】
［写真シール作成装置の動作］
次に、写真シール作成装置１の動作について説明する。
【００９９】
図１２のフローチャートを参照して、写真シール作成ゲームを提供する写真シール作成装置１の処理について説明する。
【０１００】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。このとき、撮影処理部３０１は、撮影空間Ａ１にいる利用者に対して、写真シール作成ゲームのイメージ動画やガイダンスを流す事前接客処理を行うようにしてもよい。事前接客処理は、タッチパネルモニタ９２に画面を表示させることによって、または音声をスピーカ２２４から出力させることによって行われる。
【０１０１】
硬貨が投入されたとステップＳ１において判定された場合、ステップＳ２において、撮影処理部３０１は撮影処理を行う。撮影処理においては、撮影空間Ａ１にいる利用者を被写体として撮影が行われる。
【０１０２】
撮影処理の詳細な説明は省略するが、撮影処理においては、利用者に選択された撮影コースに応じた撮影が行われる。撮影コースとしては、利用者をかわいくきれいに写すためのbeautyコースと、利用者をよりおしゃれに写すためのedgyコースとが用意されている。
【０１０３】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画面を表示させることによって、または音声をスピーカ２２４から出力させることによって行われる。
【０１０４】
ステップＳ４において、編集処理部３０２は、編集空間Ａ２−１と編集空間Ａ２−２のうち、撮影処理を終えた利用者の移動先とした方の編集空間に対応する編集部２０９Ａまたは編集部２０９Ｂを制御して編集処理を行う。
【０１０５】
編集処理の詳細な説明は省略するが、編集処理においては、最終的に出力されるシール紙のシールレイアウトが利用者に選択される。シールレイアウトは、シール紙自体の形状（大きさ）や、１枚のシール紙に配置される撮影画像や編集済み画像の枚数、位置、大きさを決定するレイアウト（配置パターン）である。また、利用者により選択されたシールレイアウトに従って撮影画像や編集済み画像が配置されてなる画像、すなわち、最終的に出力されるシール紙に印刷される画像をレイアウト画像という。このレイアウト画像のイメージを表すシール紙イメージは、記憶部２０２に記憶される。
【０１０６】
なお、利用者は、シールレイアウトを選択することによって、シール紙自体の形状や配置パターンを選択できる他、レイアウト画像において、撮影画像や編集済み画像が配置される領域（画像配置領域）以外の領域（つまり、シール紙全体のふちとなる領域）を装飾する色や図柄を選択することができる。この画像配置領域以外の領域の色を、以下、シールレイアウトの色という。
【０１０７】
このシールレイアウトの色における微細な色合い（色味）は、撮影処理において選択された撮影コースに応じて変えられる。具体的には、撮影処理においてbeautyコースが選択された場合、シール紙全体がふんわりとした印象を持つように、シールレイアウトの色として、淡い色が設定される。また、撮影処理においてedgyコースが選択された場合、シール紙全体がくっきりとした印象を持つように、シールレイアウトの色として、濃い色が設定される。
【０１０８】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１０９】
ステップＳ６において、印刷処理部３０３は印刷処理を行う。印刷処理により、撮影画像や編集済み画像が、利用者により選択されたシールレイアウトに従ってシール紙に印刷される。
【０１１０】
ステップＳ７において、事後接客処理部３０４は、印刷が終わるのを待っている利用者に対する事後接客処理を行う。事後接客処理部３０４は、撮影画像や編集済み画像を携帯端末に送信する処理などを事後接客処理として行う。
【０１１１】
印刷が終了した場合、ステップＳ８において、印刷処理部３０３は、画像が印刷されたシール紙をシール紙排出口１６２から排出させ、処理を終了する。
【０１１２】
［印刷処理の詳細］
次に、図１３のフローチャートを参照して、図１２のステップＳ６において行われる印刷処理の詳細について説明する。
【０１１３】
ステップＳ３１において、印刷制御部３１１は、利用者により選択されたシールレイアウトのシール紙イメージを記憶部２０２から読み出し、読み出したシール紙イメージに基づいて印刷データを生成する。
【０１１４】
ステップＳ３２において、印刷制御部３１１は、ロール紙に、生成した印刷データに対応するレイアウト画像を印刷する。レイアウト画像は、利用者により選択されたシールレイアウトに従って撮影画像や編集済み画像が配置された画像である。以下では、レイアウト画像には編集済み画像が配置されるものとして説明する。レイアウト画像が印刷されたロール紙は、プリンタ２４１の出力口に向けて送り出される。
【０１１５】
ステップＳ３３において、カット位置設定部３１２は、プリンタ２４１の出力口に向けて送り出されているロール紙において、第１のカット位置を設定する。そして、ステップＳ３４において、カット制御部３１３は、カット位置設定部３１２によって設定された第１のカット位置で、ロール紙をカットする。
【０１１６】
例えば、図１４に示されるように、図中下方向に送り出されるロール紙３４０に、６枚の編集済み画像３５１−１乃至３５１−６が配置されてなるレイアウト画像３５２が印刷されているものとする。
【０１１７】
レイアウト画像３５２は、６枚の画像が、横長の長方形領域に上下に３枚ずつ配置されるシールレイアウトが選択されることによって得られる。なお、６枚の編集済み画像３５１−１乃至３５１−６のうちの１枚（例えば、編集済み画像３５１−１）を、写真シール作成装置１の機種名を表す文字や撮影日時等の文字情報が所定の編集済み画像に重ねられた画像としてもよい。このとき、撮影処理により得られる撮影画像は５枚でよい。なお、レイアウト画像３５２のシールレイアウトは、これに限られるものではない。
【０１１８】
さて、この場合、図１４に示されるように、レイアウト画像３５２の送り方向の終端となる位置ａと、レイアウト画像３５２に配置されている編集済み画像３５１−１乃至３５１−６の送り方向の終端となる位置ｂとの間に第１のカット位置Ｃ１が設定され、設定された第１のカット位置Ｃ１で、ロール紙３４０がカットされる。カットされたロール紙は、シール紙としてプリンタ２４１の出力口から出力され、シール紙排出口１６２に排出される。
【０１１９】
ここで、第１のカット位置Ｃ１は、位置ａと第１のカット位置Ｃ１との間隔が、プリンタ２４１におけるカット位置の誤差より大きくなるような位置に設定されることが好ましい。例えば、プリンタ２４１におけるカット位置の誤差が±１ｍｍである場合、第１のカット位置Ｃ１は、位置ａより送り方向に１ｍｍ以上先方の位置に設定されるようにする。これにより、出力されるシール紙には、そのカットされた部分に何も印刷されていない余白領域が残ることがなくなる。なお、この場合、編集済み画像３５１−１乃至３５１−３がカットされないように、位置ａと位置ｂとの間隔は、２ｍｍ以上必要とされる。
【０１２０】
図１３のフローチャートに戻り、ステップＳ３５において、カット位置設定部３１２は、プリンタ２４１の出力口に向けて送り出されているロール紙において、第２のカット位置を設定する。そして、ステップＳ３６において、カット制御部３１３は、カット位置設定部３１２によって設定された第２のカット位置で、ロール紙をカットする。
【０１２１】
具体的には、図１４に示されるように、レイアウト画像３５２の送り方向の終端となる位置ａより送り方向後方に第２のカット位置Ｃ２が設定され、設定された第２のカット位置Ｃ２で、ロール紙３４０がカットされる。カットされたロール紙（第１のカット位置Ｃ１と第２のカット位置Ｃ２との間の部分）は、プリンタ２４１の出力口から出力されるが、シール紙排出口１６２には排出されない。
【０１２２】
ここで、第２のカット位置Ｃ２は、位置ａと第２のカット位置Ｃ２との間隔が、プリンタ２４１におけるカット位置の誤差より大きくなるような位置に設定されることが好ましい。例えば、プリンタ２４１におけるカット位置の誤差が±１ｍｍである場合、第２のカット位置Ｃ２は、位置ａより送り方向に１ｍｍ以上後方の位置に設定されるようにする。これにより、後に出力されるシール紙には、そのカットされた部分に先に出力されたシール紙のシールレイアウトの色が残ることがなくなる。
【０１２３】
以上の処理によれば、カット位置にばらつきが生じた場合であっても、先に出力されたシール紙のふちの色が、後に出力されるシール紙に残ることはなく、１枚のシール紙としての見た目をきれいにすることができ、利用者の満足度を向上させることができる。
【０１２４】
以上においては、カット位置設定部３１２は、印刷制御部３１１の制御によってプリンタ２４１の出力口に向けて送り出されているロール紙の送り量（送られた長さ）を監視することによって、カット位置を設定するものとしたが、さらに、ロール紙の送り量とシールレイアウトとを対応付けたテーブルを用意し、ロール紙の送り量を監視しなくとも、利用者に選択されたシールレイアウトに対応するロール紙の送り量に基づいて、カット位置を設定するようにしてもよい。また例えば、カット位置設定部３１２を色判別センサ等により構成するようにし、カット位置設定部３１２が、プリンタ２４１の出力口に向けて送り出されているロール紙に印刷されたレイアウト画像の色（具体的にはシールレイアウトの色）を認識することで、カット位置（特に、位置ａと位置ｂとの間のカット位置Ｃ１）を設定するようにしてもよい。
【０１２５】
また、以上においては、ロール紙に、１枚のシール紙に対応するレイアウト画像のみが印刷される場合の処理について説明したが、ロール紙に、送り方向に連続して複数のレイアウト画像が印刷される場合にも、上述した印刷処理を適用することができる。
【０１２６】
［他の処理例１］
例えば、図１５に示されるように、図中下方向に送り出されるロール紙３４０に、６枚の編集済み画像３５１−１乃至３５１−６が配置されてなるレイアウト画像３５２が印刷され、さらに、レイアウト画像３５２の送り方向後方に、６枚の編集済み画像３６１−１乃至３６１−６が配置されてなるレイアウト画像３６２が印刷されているものとする。レイアウト画像３６２は、レイアウト画像３５２と同一のシールレイアウトが選択されることによって得られる。
【０１２７】
図１５の例では、ロール紙３４０において、レイアウト画像３５２とレイアウト画像３６２とは、印刷位置の誤差を考慮して、隙間（余白領域）をもって印刷されており、それぞれのレイアウト画像３５２，３６２において、シールレイアウトの色は異なる色とされる。
【０１２８】
なお、レイアウト画像３５２とレイアウト画像３６２とは、同じ組の利用者が写真シール作成ゲームをすることで得られた画像であってもよいし、別の組の利用者がそれぞれ写真シール作成ゲームをすることで得られた画像であってもよい。
【０１２９】
この場合、レイアウト画像３５２の送り方向の終端となる位置ａと、レイアウト画像３５２に配置されている編集済み画像３５１−１乃至３５１−６の送り方向の終端となる位置ｂとの間に第１のカット位置Ｃ１が設定され、設定された第１のカット位置Ｃ１で、ロール紙３４０がカットされる。カットされたロール紙は、シール紙としてプリンタ２４１の出力口から出力され、シール紙排出口１６２に排出される。
【０１３０】
さらに、レイアウト画像３６２の送り方向の始端となる位置ｄと、レイアウト画像３６２に配置されている編集済み画像３６１−１乃至３６１−６の送り方向の始端となる位置ｅとの間に第２のカット位置Ｃ２が設定され、設定された第２のカット位置Ｃ２で、ロール紙３４０がカットされる。カットされたロール紙（第１のカット位置Ｃ１と第２のカット位置Ｃ２との間の部分）は、プリンタ２４１の出力口から出力されるが、シール紙排出口１６２には排出されない。
【０１３１】
ここで、第１のカット位置Ｃ１は、位置ａと第１のカット位置Ｃ１との間隔が、プリンタ２４１におけるカット位置の誤差より大きくなるような位置に設定されることが好ましい。これにより、先に出力されるシール紙には、そのカットされた部分に何も印刷されていない余白領域が残ることがなくなる。
【０１３２】
また、第２のカット位置Ｃ２は、位置ｄと第２のカット位置Ｃ２との間隔が、プリンタ２４１におけるカット位置の誤差より大きくなるような位置に設定されることが好ましい。例えば、プリンタ２４１におけるカット位置の誤差が±１ｍｍである場合、第２のカット位置Ｃ２は、位置ｄより送り方向に１ｍｍ以上後方の位置に設定されるようにする。これにより、後に出力されるシール紙には、そのカットされた部分に、何も印刷されていない余白領域が残ることがなくなる。
【０１３３】
なお、レイアウト画像３６２の送り方向後方に、他のレイアウト画像がさらに印刷されている場合には、上述した処理が繰り返され、レイアウト画像３６２の送り方向後方に、他のレイアウト画像がさらに印刷されていない場合には、レイアウト画像３６２が印刷されたロール紙３４０が、図１４の例と同様にカットされる。
【０１３４】
上述した例においても、カット位置にばらつきが生じた場合であっても、先に出力されたシール紙のふちの色が、後に出力されるシール紙に残ることはなく、１枚のシール紙としての見た目をきれいにすることができる。
【０１３５】
［他の処理例２］
図１５の例では、ロール紙３４０において、レイアウト画像３５２とレイアウト画像３６２とは、隙間（余白領域）をもって印刷されるものとしたが、図１６に示されるように、レイアウト画像３５２とレイアウト画像３６２とが隙間なく印刷されるようにしてもよい。
【０１３６】
なお、図１６の例では、図１５の例と同様、それぞれのレイアウト画像３５２，３６２において、シールレイアウトの色は異なる色とされる。
【０１３７】
この場合、レイアウト画像３５２の送り方向の終端であり、レイアウト画像３６２の送り方向の始端となる位置ａと、レイアウト画像３５２に配置されている編集済み画像３５１−１乃至３５１−６の送り方向の終端となる位置ｂとの間に第１のカット位置Ｃ１が設定され、設定された第１のカット位置Ｃ１で、ロール紙３４０がカットされる。カットされたロール紙は、シール紙としてプリンタ２４１の出力口から出力され、シール紙排出口１６２に排出される。
【０１３８】
さらに、位置ａと、レイアウト画像３６２に配置されている編集済み画像３６１−１乃至３６１−６送り方向の始端となる位置ｅとの間に第２のカット位置Ｃ２が設定され、設定された第２のカット位置Ｃ２で、ロール紙３４０がカットされる。カットされたロール紙（第１のカット位置Ｃ１と第２のカット位置Ｃ２との間の部分）は、プリンタ２４１の出力口から出力されるが、シール紙排出口１６２には排出されない。
【０１３９】
ここで、第１のカット位置Ｃ１は、位置ａと第１のカット位置Ｃ１との間隔が、プリンタ２４１におけるカット位置の誤差より大きくなるような位置に設定されることが好ましい。これにより、先に出力されるシール紙には、そのカットされた部分に後に出力されるシール紙のシールレイアウトの色が残ることがなくなる。
【０１４０】
また、第２のカット位置Ｃ２は、位置ａと第２のカット位置Ｃ２との間隔が、プリンタ２４１におけるカット位置の誤差より大きくなるような位置に設定されることが好ましい。これにより、後に出力されるシール紙には、そのカットされた部分に先に出力されたシール紙のシールレイアウトの色が残ることがなくなる。
【０１４１】
上述した例においても、カット位置にばらつきが生じた場合であっても、先に出力されたシール紙のふちの色が、後に出力されるシール紙に残ることはなく、１枚のシール紙としての見た目をきれいにすることができる。
【０１４２】
なお、ロール紙に、複数のレイアウト画像が隙間なく印刷される場合、図１６を参照して説明した処理は、隣接して印刷されるレイアウト画像それぞれのシールレイアウトの色が異なる場合にのみ、実行されるようにしてもよい。
【０１４３】
なお、隣接して印刷されるレイアウト画像それぞれのシールレイアウトの色が同じ場合には、図１７に示されるように、レイアウト画像３５２に配置されている編集済み画像３５１−１乃至３５１−６の送り方向の終端となる位置ｂと、レイアウト画像３６２に配置されている編集済み画像３６１−１乃至３６１−６の送り方向の始端となる位置ｅとの間に１つのみのカット位置Ｃが設定され、設定されたカット位置Ｃで、ロール紙３４０がカットされるようにする。
【０１４４】
このように、ロール紙に、複数のレイアウト画像が隙間なく印刷され、さらに、隣接して印刷されるレイアウト画像それぞれのシールレイアウトの色が同じ場合には、カット位置にばらつきが生じたことにより、先に出力されたシール紙のレイアウトの色が、後に出力されるシール紙に残ったり、後に出力されるシール紙のレイアウトの色が、先に出力されたシール紙に残っても不自然にはならないため、１回のカットのみで済む。
【０１４５】
すなわち、カットの回数を減らすことができるので、プリンタに内蔵されているカッターの使用頻度を削減することができ、カッターの刃の劣化を抑制することができる。また、ロール紙のシール紙排出口１６２には排出されない部分を減らすことができるので、出力されるシール紙の１枚あたりの大きさを大きくすることができ、利用者の満足度をより向上させることができる。
【０１４６】
また、複数のレイアウト画像が隙間なく印刷される場合で、その複数のレイアウト画像の中に、シールレイアウトの色が同じであるレイアウト画像が存在する場合、このシールレイアウトの色が同じであるレイアウト画像が連続して印刷されるように、印刷の順番が変更されるようにしてもよい。
【０１４７】
例えば、直前に出力されるシール紙に印刷されるレイアウト画像のシールレイアウトの色が、その次に出力される編集処理を終えたばかりの１組の利用者Ｕ１，Ｕ２それぞれに対して出力される２枚のシール紙に印刷されるレイアウト画像のうちのいずれかのシールレイアウトの色と同じである場合、直前に出力されるシール紙に印刷されるレイアウト画像のシールレイアウトの色と同じ色のシールレイアウトを有するレイアウト画像が先に印刷されるようにする。
【０１４８】
この場合も、カットの回数を減らすことができるので、プリンタに内蔵されているカッターの使用頻度を削減することができ、カッターの刃の劣化を抑制することができる。また、ロール紙のシール紙排出口１６２には排出されない部分を減らすことができるので、出力されるシール紙の１枚あたりの大きさを大きくすることができ、利用者の満足度をより向上させることができる。
【０１４９】
なお、隣接して印刷されるレイアウト画像それぞれのシールレイアウトの色が異なるか否かは、編集処理においてシールレイアウトが選択される際に記憶部２０２に記憶されるシール紙イメージに基づいて、印刷処理部３０３が判定するようにしてもよいし、カット位置設定部３１２が、ロール紙に印刷されているレイアウト画像の色を認識する構成であれば、カット位置設定部３１２が判定するようにしてもよい。
【０１５０】
なお、本実施の形態の写真シール作成ゲームにおいては、図１４乃至図１７に示されるシールレイアウトに限られず、他のシールレイアウトが選択可能とされる。
【０１５１】
［他のシールレイアウトの例］
図１８は、他のシールレイアウトのレイアウト画像が印刷された場合の印刷処理の例について説明する図である。
【０１５２】
図１８の例では、図中下方向に送り出されるロール紙３７０に、５枚の編集済み画像３８１−１乃至３８１−５が配置されてなるレイアウト画像３８２が印刷され、さらに、レイアウト画像３８２の送り方向後方に、５枚の編集済み画像３９１−１乃至３９１−５が配置されてなるレイアウト画像３９２が印刷されている。
【０１５３】
レイアウト画像３８２，３９２は、５枚の画像が、横一列に並んで配置されるシールレイアウトが選択されることによって得られる。図１８の例では、レイアウト画像３８２において、編集済み画像３８１−１のみが、他の４枚の編集済み画像３８１−２乃至３８１−５より大きく印刷され、レイアウト画像３９２において、編集済み画像３９１−１のみが、他の４枚の編集済み画像３９１−２乃至３９１−５より大きく印刷されている。
【０１５４】
図１８の例では、ロール紙３７０において、レイアウト画像３８２とレイアウト画像３９２とは、隙間（余白領域）をもって印刷されており、それぞれのレイアウト画像３８２，３９２において、シールレイアウトの色は異なる色とされる。
【０１５５】
なお、レイアウト画像３８２とレイアウト画像３９２とは、同じ組の利用者が写真シール作成ゲームをすることで得られた画像であってもよいし、別の組の利用者がそれぞれ写真シール作成ゲームをすることで得られた画像であってもよい。
【０１５６】
この場合、第１のカット位置Ｃ１および第２のカット位置Ｃ２の設定と、それぞれのカット位置でのカットは、図１５の例と同様にして行われる。
【０１５７】
また、レイアウト画像３８２とレイアウト画像３９２とが隙間なく印刷されるようにした場合には、第１のカット位置Ｃ１および第２のカット位置Ｃ２の設定と、それぞれのカット位置でのカットは、図１６の例と同様にして行われる。さらに、それぞれのレイアウト画像３８２，３９２において、シールレイアウトの色が同じ色である場合には、カット位置Ｃの設定と、そのカット位置でのカットが、図１７の例と同様にして行われる。
【０１５８】
なお、以上においては、ロール紙は、第１のカット位置Ｃ１でカットされた後、第２のカット位置Ｃ２でカットされるものとしたが、第２のカット位置Ｃ２でカットされた後に、第１のカット位置Ｃ１でカットされるようにしてもよい。具体的には、例えばロール紙の送り量が監視されることによって、第２のカット位置Ｃ２が設定され、その第２のカット位置Ｃ２でロール紙がカットされ、その後、ロール紙がカットされた第２のカット位置Ｃ２を基準として、第２のカット位置Ｃ２から送り方向先方に第１のカット位置Ｃ１が設定され、その第１のカット位置Ｃ１でロール紙がカットされるようにする。
【０１５９】
上述した本発明の印刷処理においては、１枚のシール紙の出力の際に、ロール紙に対して２回のカットが行われるが、２回目のカットにより生じる、ロール紙の第１のカット位置Ｃ１と第２のカット位置Ｃ２との間の部分は廃棄される。以下においては、この廃棄される部分（以下、廃棄部分という）を蓄積する構造について説明する。
【０１６０】
［シール紙排出口の裏側の構成例］
図１９および図２０は、シール紙排出口１６２の裏側の構成例を示す図である。
【０１６１】
図７を参照して説明したように、シール紙排出口１６２の裏側にあたる編集ユニット１２の内部にはプリンタ２４１が設けられており、プリンタ２４１の出力口から出力されたシール紙が、シール紙排出口１６２から排出される。
【０１６２】
編集ユニット１２の右側面で、シール紙排出口１６２が設けられる部分は、図１９に示される、片側開閉可能な扉状部４０１として構成されている。図１９は、扉状部４０１の、シール紙排出口１６２が設けられる側とは反対側（裏側）の構成を示す斜視図であり、図２０は、プリンタ２４１を含む、扉状部４０１の裏側の構成を示す側面図である。
【０１６３】
扉状部４０１の裏側（プリンタ２４１が設けられる側）には、プリンタ２４１の出力口２４１ａから出力されたシール紙を、シール紙排出口１６２に導くための誘導部４１０が設けられている。
【０１６４】
誘導部４１０は、正面部４１１、側面部４１２，４１３、および背面部４１４から構成される。正面部４１１は、その下端を固定した状態で、鉛直方向に対して所定の角度を有するように形成されている。側面部４１２，４１３は、扉状部４０１の面に対して垂直になるように形成され、正面部４１１と当接する部分に設けられた折り返し片４１２ａ，４１３ａによって、正面部４１１の左右を支持している。背面部４１４は、正面部４１１より扉状部４０１に近い側に、正面部４１１と略平行になるように形成されている。背面部４１４もまた、その左右は、側面部４１２，４１３により固定され支持されている。
【０１６５】
誘導部４１０の上部には、正面部４１１、側面部４１２，４１３、および背面部４１４に囲まれる開口４１０Ｈが、プリンタ２４１の出力口２４１ａに向かって形成されている。誘導部４１０において、開口４１０Ｈの反対側の開口にはシール紙排出口１６２が設けられており、プリンタ２４１の出力口２４１ａから出力されたシール紙は、この開口４１０Ｈからシール紙排出口１６２に導かれて排出される。
【０１６６】
また、誘導部４１０において、開口４１０Ｈの下方であって、正面部４１１の上部には、蓄積部４１５が設けられている。蓄積部４１５は、厚さの薄い直方体上に形成され、正面部４１１のなす面に平行に設けられている。蓄積部４１５の上部には、開口４１５ｈが上面に向かって形成されている。開口４１５ｈは、２回目のカットにより生じるロール紙の廃棄部分の面積より若干大きく形成されており、プリンタ２４１の出力口２４１ａから出力された廃棄部分は、この開口４１５ｈから蓄積部４１５に蓄積される。
【０１６７】
なお、開口４１５ｈは、シール紙排出口１６２に排出されるシール紙の大きさ（面積）より十分小さく形成されているため、シール紙が開口４１５ｈに落下することはない。
【０１６８】
また、蓄積部４１５の、正面部４１１に当接する面は、蓄積部４１５として構成される直方体の面より左右方向に広く形成されており、その部分は、鍔状部４１５ａ，４１５ｂとして構成されている。鍔状部４１５ａ，４１５ｂはそれぞれ、その下端が、側面部４１２，４１３の折り返し片４１２ａ，４１３ａの上端によって支持され、その面の略全体が、折り返し片４１２ａ，４１３ａの一部として形成された、折り返し片４１２ｂ，４１３ｂによって支持されている。
【０１６９】
このような構造により、蓄積部４１５は、正面部４１１の面に沿って上下方向にスライドさせることで、誘導部４１０に着脱可能に構成されている。
【０１７０】
なお、蓄積部４１５に蓄積された廃棄部分は、写真シール作成装置１が設置されている店舗等の従業員によって、例えば、シール紙ユニット２４２に収納されているロール紙を交換する等のタイミングで回収され廃棄される。このとき、蓄積部４１５は、正面部４１１の面に沿って上下方向にスライドさせるだけで着脱可能になされているので、店舗の従業員は、簡単に廃棄部分の回収作業を行うことができる。
【０１７１】
また、上述したタイミング等にかかわらず、蓄積部４１５に蓄積されている廃棄部分がいっぱいになったときに、店舗の従業員にその旨を報知するようにすることもできる。
【０１７２】
［印刷処理部の他の構成例］
図２１は、印刷処理部３０３の他の機能構成例を示すブロック図である。
【０１７３】
図２１の印刷処理部３０３は、印刷制御部３１１、カット位置設定部３１２、カット制御部３１３、および報知制御部４５１を備えている。図２１において、図１１の印刷処理部３０３と同一の機能を有する部分には同一符号を付してあり、その説明は適宜省略する。
【０１７４】
報知制御部４５１は、蓄積部４１５に蓄積されている廃棄部分の量が所定量を超えた場合に、その旨を報知する制御を行う。
【０１７５】
［報知処理の例］
次に、図２２のフローチャートを参照して、図２１の印刷処理部３０３によって実行される報知処理について説明する。
【０１７６】
ステップＳ６１において、報知制御部４５１は、蓄積部４１５に蓄積されている廃棄部分の量が所定量を超えたか否かを判定する。例えば、誘導部４１０に、蓄積部４１５の重量を検知する重量センサを設け、検知された重量が所定値を超えたか否かに応じて、蓄積されている廃棄部分の量が所定量を超えたか否かが判定される。また、蓄積部４１５の内部の高さ方向の所定位置に、赤外線センサ等の対物センサを設け、その高さまで廃棄部分が蓄積されたか否かに応じて、蓄積されている廃棄部分の量が所定量を超えたか否かが判定されるようにしてもよい。
【０１７７】
ステップＳ６１においては、蓄積部４１５に蓄積されている廃棄部分の量が所定量を超えたと判定されるまで、処理が繰り返され、蓄積部４１５に蓄積されている廃棄部分の量が所定量を超えたと判定されると、処理はステップＳ６２に進む。
【０１７８】
ステップＳ６２において、報知制御部４５１は、蓄積部４１５に蓄積されている廃棄部分がいっぱいになった旨を報知する制御を行う。具体的には、撮影部２０８のタッチパネルモニタ９２や、編集部２０９のタブレット内蔵モニタ１３１、事後接客部２１０のタブレット内蔵モニタ１６１、撮影ユニット１１の側面に設けられる事前接客用のモニタ等に、蓄積されている廃棄部分がいっぱいになった旨のメッセージを表示させる。これにより、撮影空間や編集空間、事後接客空間にいる利用者や順番待ちをしている利用者が、そのメッセージを確認し、店舗の従業員にその旨を伝えることで、店舗の従業員に、廃棄部分の回収作業を行わせることができる。また、編集ユニット１２の右側面（事後接客空間）に設けられるエラーランプを点灯・点滅させたり、シール紙排出口１６２の上方や、撮影ユニット１１の側面上部、編集ユニット１２の上部に、回転灯やLED表示灯を設け、これらを点灯・点滅させるようにしてもよい。この場合、写真シール作成装置１から離れた位置にいる店舗の従業員にも、廃棄部分がいっぱいになった旨を認識させることができる。
【０１７９】
以上の処理によれば、店舗の従業員に、確実に廃棄部分の回収作業を行わせることができるようになる。
【０１８０】
なお、廃棄部分を蓄積する構造は、上述したものに限られない。
【０１８１】
［シール紙排出口の裏側の他の構成例］
図２３は、扉状部４０１の裏側の構成の他の例を示す側面図である。
【０１８２】
なお、図２３において、図２０の構成と同一の機能を有する部分には同一符号を付してあり、その説明は適宜省略する。すなわち、図２３の構成は、蓄積部４１５に代えて蓄積部４６１が設けられ、さらに、編集ユニット１２の底面に、大容量蓄積部４６２が載置されている。
【０１８３】
蓄積部４６１の構成は、基本的には蓄積部４１５と同様であるが、蓄積部４６１は、その底面が開閉可能な構造を有する。また、大容量蓄積部４６２は、蓄積部４６１の底面の鉛直下方に載置され、その容量は、蓄積部４６１の容量と比較して十分大きい。
【０１８４】
すなわち、プリンタ２４１の出力口２４１ａから出力された廃棄部分は、開口４６１ｈから蓄積部４６１に一旦蓄積される。そして、所定のタイミング（例えば、図２２のステップＳ６１と同様に、蓄積されている廃棄部分の量が所定量を超えたと判定されたタイミング等）で、蓄積部４６１の底面が開放され、蓄積部４６１に蓄積された廃棄部分が落下し、大容量蓄積部４６２に蓄積される。
【０１８５】
このような構成によれば、図２１の構成より廃棄部分を多く蓄積することができるので、店舗の従業員による回収作業の回数を減らすことができる。また、廃棄部分の回収作業においては、編集ユニット１２の内部に載置されている大容量蓄積部４６２を回収するだけで済むので、蓄積部４１５を着脱する手間を省くことができ、廃棄部分の回収作業の効率を高めることができる。
【０１８６】
また、図２４に示されるように、蓄積部４７１を、正面部４１１の面に沿って下方に延ばし、その下端部を鉛直方向に屈曲させ、さらに、その屈曲部分の直下に、大容量蓄積部４７２を設けるようにしてもよい。図２４の構成において、蓄積部４７１は、その底面が開閉可能な構造を有するようにしてもよいし、その底面が開口されていてもよい。また、大容量蓄積部４７２は、正面部４１１の下部に当接するように設けられている。
【０１８７】
このような構成によれば、図２３の構成と比較して、蓄積部の底面と大容量蓄積部との距離が短くなるので、廃棄部分は、蓄積部の底面から落下した後、大容量蓄積部の周囲に散らばったりすることなく、確実に大容量蓄積部４７２に蓄積されるようになる。
【０１８８】
さらに、図２５に示されるように、正面部４１１の上端部に、プリンタ２４１の出力口２４１ａから出力されるシール紙の出力方向に沿った面を設け、その面の一部に、シール紙４８１の大きさよりも十分小さく、かつ、廃棄部分４８２が落下可能な大きさのスリットを設けるようにしてもよい。スリットから落下した廃棄部分４８２は、開口４１５ｈに達し、蓄積部４１５に蓄積される。
【０１８９】
このような構成によれば、シール紙を、確実にシール紙排出口へ誘導させるとともに、廃棄部分を、確実に蓄積部に蓄積させることができる。
【０１９０】
［その他の例］
ところで、図１５を参照して説明した印刷処理においては、ロール紙３４０において、レイアウト画像３５２とレイアウト画像３６２とが隙間をもって印刷されるようにしたが、この場合、廃棄部分には、その隙間となる余白部分も含まれるため、レイアウト画像３５２とレイアウト画像３６２とが隙間なく印刷される場合と比較して、廃棄部分が大きくなり、無駄になるロール紙３４０の量が増えてしまう。
【０１９１】
そこで、レイアウト画像３５２とレイアウト画像３６２との間の余白領域をある程度確保した上で、その余白領域に、所定のキャラクタや図柄等を並べて印刷し、レイアウト画像３５２およびレイアウト画像３６２が印刷された２枚のシール紙とともに、おまけシール紙として出力されるようにしてもよい。
【０１９２】
なお、レイアウト画像３５２とレイアウト画像３６２とは、同じ組の利用者が写真シール作成ゲームをすることで得られた画像であるものとする。
【０１９３】
この場合、おまけシール紙には、レイアウト画像３５２のシールレイアウトの色と、レイアウト画像３５２のシールレイアウトの色が残るが、あくまで「おまけ」であるので、利用者の満足度を損なうことはなく、シール紙に加え、おまけシール紙を提供することで、むしろ利用者の満足度を高めることが可能となる。さらに、本来、ロール紙において廃棄部分となっていた部分を無駄にせず、有効に利用することがが可能となる。
【０１９４】
また、以上においては、利用者によりシールレイアウトが選択されることで、レイアウト画像におけるシールレイアウトの色が選択、決定されるものとしたが、利用者に選択されたシールレイアウトにかかわらず、レイアウト画像におけるシールレイアウトの色を、特定の色のみとして、レイアウト画像が印刷されるようにしてもよい。
【０１９５】
これにより、隣接して印刷されるレイアウト画像それぞれのシールレイアウトの色が同じになるので、特に、複数のレイアウト画像が隙間なく印刷される場合には、カットの回数を減らすことができる上に、ロール紙の廃棄される部分を減らすことができ、さらに、１枚のシール紙の大きさを大きくすることができる。
【０１９６】
また、以上においては、ロール紙は、レイアウト画像が印刷された後にカットされるものとしたが、印刷されるレイアウト画像のサイズに応じてロール紙がカットされた後に、レイアウト画像が印刷されるようにしてもよい。この場合、カットされたロール紙毎にレイアウト画像が印刷されるので、カット位置にばらつきが生じた場合であっても、他のレイアウト画像のシールレイアウトの色が残ることはなく、１枚のシール紙としての見た目をきれいにすることができる。
【０１９７】
さらに、以上においては、シール紙ユニット２４２には、ロール紙のみが収納されているものとして説明してきたが、ロール紙とともに、予めカットされているカット紙が収納されるようにしてもよい。なお、カット紙としては、各種のシールレイアウトに対応した形状、大きさのカット紙が収納されるものとする。
【０１９８】
この場合、レイアウト画像は、選択的に、ロール紙またはカット紙に印刷されるようにする。例えば、複数のレイアウト画像が連続して印刷される際に、それぞれのレイアウト画像のシールレイアウトの色が異なる場合には、カット紙に印刷されるようにし、それぞれのレイアウト画像のシールレイアウトの色が同じ場合には、ロール紙に印刷されるようにする。これにより、いずれの場合でも、他のレイアウト画像のシールレイアウトの色が残ることはなく、１枚のシール紙としての見た目をきれいにすることができる。さらに、カットの回数を減らすことができるので、プリンタに内蔵されているカッターの使用頻度を削減することができ、カッターの刃の劣化を抑制することができる。
【０１９９】
また、以上においては、プリンタ２４１が内蔵するカッター２５２の刃は１枚であるものとし、第１のカット位置Ｃ１でのカットと、第２のカット位置Ｃ２でのカットの、２回目のカットが行われるものとした。そこで、プリンタ２４１が内蔵するカッター２５２の刃を２枚とするようにしてもよい。この場合、第１のカット位置Ｃ１でのカットと、第２のカット位置Ｃ２でのカットを同時に行わせるようにする。これにより、実質１回のカットで、上述した処理と同様の効果を奏することが可能となる上に、処理にかかる時間を短縮することが可能となる。
【０２００】
さらに、以上においては、プリンタ２４１が内蔵するカッター２５２の刃は、ロール紙の送り方向に直交する向きに備えられているものとして説明してきたが、このカッターの刃に加え、ロール紙の送り方向と同じ向きに備えられるカッターの刃が、プリンタ２４１に内蔵されるようにしてもよい。
【０２０１】
この場合、ロール紙を、送り方向の第１のカット位置および第２のカット位置に加え、送り方向に直交する方向の第３のカット位置でカットすることができる。
【０２０２】
例えば、図２６に示されるように、図中下方向に送り出されるロール紙５２０に、送り方向に直交する方向に並列して、６枚の編集済み画像５３１−１乃至５３１−６が配置されてなるレイアウト画像５３２と、６枚の編集済み画像５４１−１乃至５４１−６が配置されてなるレイアウト画像５４２とが印刷されているものとする。
【０２０３】
レイアウト画像５３２，５４２は、６枚の画像が、縦長の長方形領域に縦に２枚ずつ配置されるシールレイアウトが選択されることによって得られる。
【０２０４】
この場合、図２６に示されるように、レイアウト画像５３２，５４２の送り方向の終端となる位置ａと、レイアウト画像５３２に配置されている編集済み画像５３１−１乃至５３１−６（またはレイアウト画像５４２に配置されている編集済み画像５４１−１乃至５４１−６）の送り方向の終端となる位置ｂとの間に第１のカット位置Ｃ１が設定され、設定された第１のカット位置Ｃ１で、ロール紙５２０がカットされる。このとき、カットされたロール紙は、まだプリンタ２４１の出力口から出力されず、ロール紙が送り出される搬送路上に保持されるものとする。
【０２０５】
さらに、図２６に示されるように、レイアウト画像５３２，５４２の送り方向の終端となる位置ａより送り方向後方に第２のカット位置Ｃ２が設定され、設定された第２のカット位置Ｃ２で、ロール紙５２０がカットされる。
【０２０６】
さらにまた、図２６に示されるように、ロール紙が送り出される搬送路上に保持されている、レイアウト画像５３２，５４２が印刷されてカットされたロール紙に対して、レイアウト画像５３２，５４２の送り方向に直交する方向の第３のカット位置Ｃ３（例えば、レイアウト画像５３２，５４２同士の境界に沿った位置）が設定され、設定された第３のカット位置Ｃ３で、ロール紙がカットされる。カットされたロール紙は、２枚のシール紙としてプリンタ２４１の出力口から出力され、シール紙排出口１６２に排出される。
【０２０７】
なお、図２６の例では、第３のカット位置Ｃ３でカットされた後に、第２のカット位置Ｃ２でカットされるようにしてもよい。
【０２０８】
上述した例においては、カット位置にばらつきが生じた場合であっても、先に出力されたシール紙のレイアウトの色が、後に出力されるシール紙に残ることはなく、１枚のシール紙としての見た目をきれいにすることができる上に、様々なシールレイアウトに対応したシール紙を出力することが可能となる。
【０２０９】
なお、上述した例において、レイアウト画像５３２，５４２それぞれのシールレイアウトの色が異なる場合には、第１のカット位置Ｃ１および第２のカット位置Ｃ２と同様に、レイアウト画像５３２，５４２同士の境界を挟むように２つのカット位置が設定されるようにしてもよい。
【０２１０】
また、本発明の印刷処理において、印刷されるレイアウト画像に応じて、予めロール紙にミシン目を入れるようにし、そのミシン目に応じて、レイアウト画像を印刷するようにしてもよい。これにより、特に、４人以上の利用者が写真シール作成ゲームを行った場合でも、出力された１枚のシール紙をミシン目に沿って切り分けることができるようになる。
【０２１１】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２１２】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２１３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１４】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２１５】
また、本発明の実施の形態は、上述した実施の形態に限定されるものではなく、本発明の要旨を逸脱しない範囲において種々の変更が可能である。
【符号の説明】
【０２１６】
１  写真シール作成装置
１１  撮影ユニット
１２  編集ユニット
２０１  制御部
２０８  撮影部
２０９  編集部
２１０  事後接客部
３０１  撮影処理部
３０２  編集処理部
３０３  印刷処理部
３０４  事後接客処理部
３１１  印刷制御部
３１２  カット位置設定部
３１３  カット制御部
４５１  報知制御部
【図１】
2015055802.tif 000003
【図２】
2015055802.tif 000004
【図３】
2015055802.tif 000005
【図４】
2015055802.tif 000006
【図５】
2015055802.tif 000007
【図６】
2015055802.tif 000008
【図７】
2015055802.tif 000009
【図８】
2015055802.tif 000010
【図９】
2015055802.tif 000011
【図１０】
2015055802.tif 000012
【図１１】
2015055802.tif 000013
【図１２】
2015055802.tif 000014
【図１３】
2015055802.tif 000015
【図１４】
2015055802.tif 000016
【図１５】
2015055802.tif 000017
【図１６】
2015055802.tif 000018
【図１７】
2015055802.tif 000019
【図１８】
2015055802.tif 000020
【図１９】
2015055802.tif 000021
【図２０】
2015055802.tif 000022
【図２１】
2015055802.tif 000023
【図２２】
2015055802.tif 000024
【図２３】
2015055802.tif 000025
【図２４】
2015055802.tif 000026
【図２５】
2015055802.tif 000027
【図２６】
2015055802.tif 000028